(57)【要約】【課題】首部へのフィット性を向上し、首及びその近傍を効果的に温めたり、冷却することが可能な首用パッドを提供する。【解決手段】首に取り付ける首用パッドであって、冷却体または発熱体を収容し、首の後部に配置される収容部１と、収容部１の両端に連結されるとともに、先端にいくにしたがって細くなるように構成され、首に巻き付けられる一対の巻付部２とを備えている。【選択図】図１
2007319420.tif 000002
【特許請求の範囲】
【請求項１】
首に取り付ける首用パッドであって、
冷却体または発熱体を収容し、首の後部に配置される収容部と、
前記収容部の両端に連結されるとともに、先端にいくにしたがって細くなるように構成され、首に巻き付けられる一対の巻付部と
を備えている、首用パッド。
【請求項２】
前記各巻付部の両端部間の直線距離が１５〜３８ｃｍである、請求項１に記載の首用パッド。
【請求項３】
前記各巻付部の下端部が、収容部との連結部分において上に凸の略円弧状に形成されている、請求項１または２に記載の首用パッド。
【請求項４】
前記収容部を支持する収容部支持体と、前記収容部支持体の両端に連結され、前記各巻付部をそれぞれ支持する巻付部支持体とから構成され、可撓性を有する略Ｕ字状のカラーをさらに備えている、請求項１から３のいずれかに記載の首用パッド。
【請求項５】
前記収容部支持体が、中心角度６０〜２００度、曲率半径４．５〜７．０ｃｍの円弧形状に形成されている、請求項４に記載の首用パッド。
【請求項６】
前記巻付部支持体がほぼ直線状に形成されている、請求項４または５に記載の首用パッド。
【請求項７】
前記収容部支持体と前記巻付部支持体との連結部における接線と巻付部支持体とのなす角が０〜２５度である、請求項４から６のいずれかに記載の首用パッド。
【請求項８】
前記各巻付部の両端を互いに離間させるときの離間強度が、０．０９〜０．３９Ｎ／ｃｍである、請求項１から７のいずれかに記載の首用パッド。
【請求項９】
前記収容部支持体の上端部に対し、前記巻付部支持体の上端部が下方に向けて１０〜３５度の角度をなして連結されている、請求項４から８のいずれかに記載の首用パッド。
【発明の詳細な説明】
【技術分野】
【０００１】
本発明は、疲労回復等に用いられる首用パッドに関する。
【背景技術】
【０００２】
筋肉の収縮により血行が悪くなると肩こりなどの「こり」が生じ、日常生活を送るうえで非常に大きな問題となる。最近では、パソコンでの作業など、イスに座った姿勢のままで連続した作業をすることが多くなってきているため、肩こりなどが慢性化している人が多くなっている。
【０００３】
特に、僧帽筋などの頭部に近い筋肉にこりが生じると緊張型頭痛が起こることがあり、目の疲れ、だるさ、めまいといった症状を伴うことも多いため、日常生活において苦痛となっている。このような緊張型頭痛は、僧帽筋のなかでも、とくに後頭部下部に位置する僧帽筋最上部がこることで起こりやすいことが分かっている（非特許文献１）。
【０００４】
これらのこりを解消する方法としては、一般的に筋肉を温めて、血行を促進する方法が知られている（非特許文献２）。例えば、特許文献１には、温熱体などにより首部を温める矩形状のパッドが開示されている。
【非特許文献１】作田学  緊張型頭痛の発生機序  神経進歩  ４６−３  ２００２）
【非特許文献２】大野  他  整形外科的疾患に対するＨＰ−３７の臨床効果  臨床と研究  第６７巻第５号
【特許文献１】特開２００３−４７６２７号公報
【発明の開示】
【発明が解決しようとする課題】
【０００５】
しかしながら、上記特許文献１に記載のパッドでは、首に十分にフィットしないという問題がある。すなわち、首は頭や肩が隣接する箇所であるため、上記のように矩形状に形成されているパッドでは、隙間が生じ、フィット性の点で劣るという問題があり、特に、後頭部下部の僧帽筋を含む頸部を効果的に温めることができなかった。
【０００６】
一方、こりからくる頭痛は、頭痛薬や筋弛緩剤などを服用することなどでも解消できるが、薬の副作用による眠気が生じたり、継続的な服用には抵抗が大きいという問題があった。
【０００７】
また、血管が拡張した状態のときに生じる偏頭痛の場合には、頸部を冷却して血流量を低下させることで痛みが軽減することが知られている。しかし、これについても効率よく冷却する方法は現在のところ、知られていない。
【０００８】
本発明は、上記問題を解決するためになされたものであり、首部へのフィット性を向上し、首及びその近傍を効果的に温めたり、冷却することが可能な首用パッドを提供することを目的とする。
【課題を解決するための手段】
【０００９】
本発明は、首に取り付ける首用パッドであって、上記問題を解決するためになされたものであり、冷却体または発熱体を収容し、首の後部に配置される収容部と、前記収容部の両端に連結されるとともに、先端にいくにしたがって幅が細くなるように構成され、首に巻き付けられる一対の巻付部とを備えている。
【００１０】
この構成によれば、巻付部が先端にいくにしたがって細くなっているため、収容部を後頭部下部に当てたときに、巻付部がアゴなどにかかることがなく、頸部横側に沿うようにフィットさせることができる。そのため、後頭部下部に対する限定的な温熱効果、冷却効果だけではなく、後頭部下部から頸部横側を冷却、温熱することで、首から肩にかけての全体を冷却、温熱することができ、効果的に頭痛を緩和することができる。また、血行促進や筋収縮緩和も期待でき、効果的な健康増進が可能になる。
【００１１】
上記首用パッドにおいて、人間の首周りの平均的な長さを考慮すると、各巻付部の先端間の直線距離が１５〜３８ｃｍであることが好ましい。この寸法にすることで、平均的な人間においては、少なくとも首周りの半周以上を覆うことができるとともに、両巻付部の端部同士が重ならないようにすることができる。そのため、頸部を拘束することがなく、適切に冷却、温熱することができるとともに、長時間使用しても逆上せることがない。
【００１２】
また、巻付部の形状は、先端にいくにしたがって細くなっているのであれば、特には限定されないが、三角形状、鎌形状など種々の形状にすることができる。特に、各巻付部が先端にいくにしたがって、下方に湾曲するような形状であれば、アゴに接触して巻き付けが妨げられるのを確実に防止することができる。また、各巻付部の下端部を、収容部との連結部分において上に凸の略円弧状に形成すると、巻付部を首に巻き付けたときに、その下端部を肩の後部から前部にかけての湾曲に沿わせることができ、パッドのフィット性をさらに向上することができる。
【００１３】
上記パッドにおいては、収容部を支持する収容部支持体と、前記収容部支持体の両端に連結され、前記各巻付部をそれぞれ支持する巻付部支持体とから構成され、可撓性を有する略Ｕ字状のカラーをさらに設けることが好ましい。このようなカラーを設けると、首用パッドの形状をＵ字型に保持することができるため、パッドを首に対して確実に固定することができ、パットが不意に首から外れるのを防止することができる。
【００１４】
上記収容部支持体は、種々の形状にすることができるが、例えば、中心角度６０〜２００度、曲率半径４．５〜７．０ｃｍの円弧形状に形成することができる。このような形状にすると、後頭部下部から頸部横側を覆うとともに、首用パッドを一般的な人の首に適切にフィットさせることができる。
【００１５】
上記カラーにおいては、巻付部支持体がほぼ直線状に形成されていることが好ましい。このようにすると、巻付部支持体が頸部に巻き付かず、頸部横側に当接する面積を少なくすることができる。その結果、首を締め付けすぎないようにすることができ、着用時の息苦しさをなくすることができる。
【００１６】
一般的な人に対応し、適度なフィット性を付与するには、収容部支持体と巻付部支持体との連結部における接線と巻付部支持体とのなす角が０〜２５度であることが好ましい。
【００１７】
首へのフィット性と、締め付け感とをバランスよく適切に保つには、各巻付部の両端を互いに離間させるときの離間強度が、０．０９〜０．３９Ｎ／ｃｍであることが好ましい。
【００１８】
また、巻付部がアゴに当たらず、首に対して適切にフィットする点から、収容部支持体の上端部に対し、前記巻付部支持体の上端部が、下方に向けて１０〜３５度の角度をなして連結されていることが好ましい。
【００１９】
また、フィット性を向上するには、次のように構成することもできる。すなわち、第２の本発明は、首に取り付ける首用パッドであって、冷却体または発熱体を収容し、首の後部に配置される収容部と、前記収容部の両端に連結され首に巻き付けられる一対の巻付部と、前記収容部を支持する収容部支持体及び前記収容部支持体の両端に連結され前記各巻付部をそれぞれ支持する巻付部支持体とから構成され、可撓性を有する略Ｕ字状のカラーとを備えている。
【００２０】
この構成により、首用パッドの形状をＵ字型に保持することができるため、パッドを首に対して確実に固定することができ、フィット性が向上する。また、パットが不意に首から外れるのを防止することができる。
【００２１】
第２の首用パッドにおいては、各巻付部の両端部間の直線距離が１５〜３８ｃｍであることが好ましい。
【００２２】
また、巻付部が先端にいくにしたがって細くなっていることが好ましい。
【００２３】
また、各巻付部の下端部が、収容部との連結部分において上に凸の略円弧状に形成されていることが好ましい。
【００２４】
また、収容部支持体が、中心角度６０〜２００度、曲率半径４．５〜７．０ｃｍの円弧形状に形成されていることが好ましい。
【００２５】
また、巻付部支持体がほぼ直線状に形成されていることが好ましい。
【００２６】
また、収容部支持体と前記巻付部支持体との連結部における接線と巻付部支持体とのなす角が０〜２５度であることが好ましい。
【００２７】
また、各巻付部の両端を互いに離間させるときの離間強度が、０．０９〜０．３９Ｎ／ｃｍであることが好ましい。
【００２８】
また、収容部支持体の上端部に対し、前記巻付部支持体の上端部が下方に向けて１０〜３５度の角度をなして連結されていることが好ましい。
【発明の効果】
【００２９】
本発明に係る首用パッドによれば、首部へのフィット性を向上し、首及びその近傍を効果的に温めたり、冷却することができる。
【発明を実施するための最良の形態】
【００３０】
以下、本発明に係る首用パッドの一実施形態について図面を参照しつつ説明する。図１は本実施形態に係る首用パッドの斜視図、図２は図１の首用パッドの展開図である。
【００３１】
図１に示すように、この首用パッドは、疲労回復等のために首に巻き付けられるものであり、首の後部に配置される収容部１と、この収容部１の両端に連結され、首に巻き付けられる一対の巻付部２とからなるパッド本体３を備えている。また、左右の巻付部２の間を連結する帯状の連結部材４が取り付けられており、この連結部材４が左右の巻付部２の間を面ファスナー等で固定することにより、両巻付部２の間が連結される。さらに、このパッド本体３には、形状をＵ字型に保持するためのカラー５が着脱自在に内蔵されている。
【００３２】
まず、パッド本体３から説明する。収容部１は、略矩形状に形成され、首と対向する面にポケット１１が設けられている。このポケット１１には、例えば、カイロ等の発熱体が収容される。収容部１の寸法は、首へのフィット性や温熱、冷却効果の点から、例えば、長手方向が５〜１６ｃｍ、短手方向が２〜１２ｃｍであることが好ましく、長手方向が９〜１２ｃｍ、短手方向が７〜１１ｃｍであることがより好ましい。なお、発熱体としては、上記カイロのほか、湯たんぽ、使い捨てカイロ、行火、電気行火、温熱ゲルパット、電子レンジや湯煎等で温めるホットパック、酢酸ナトリウムの発熱反応を利用したカイロなどを収容することができる。また、発熱体のほか、ゲル、尿素および硝酸アンモニウムと水の反応を利用した冷却パックなどの冷却体を収容することもできる。
【００３３】
また、ポケット１１の開口内側には、面ファスナー、粘着テープなどの固定手段（図示省略）が設けられている。この固定手段によって、収容した発熱体または冷却体をポケット１１中に保持することができる。さらに、例えば、カイロなどの酸化によって発熱する発熱体をポケット１１に収容する場合、発熱温度は周辺空気量の影響を受けるが、固定手段によってポケット１１を閉口することで、ポケット１１中の空気量を一定にできるので、温度を経時的に安定させることができる。
【００３４】
図２に示すように、巻付部２は、収容部１よりも上下の幅が小さく、先端にいくにしたがって細くなり、下方に湾曲するような鎌形に形成されている。また、巻付部２は、収容部１両側の上部に連結されており、これによって収容部１の下端が下方へ突出するとともに、巻付部２の下端２１が、収容部１との連結部分において上に凸の略円弧状に形成されている。このとき、巻付部２の形状は、図２に示すように、使用時において先端部がアゴに当たらないように点Ａ−Ｃ間の直線距離が、点Ｂ−Ｃ間の直線距離よりも長いことがより好ましい。なお、Ａ点は巻付部２の上端と収容部１との連結点であり、点Ｂは巻付部２の下端２１と収容部１との連結点である。点Ｃは、通常、巻付部２の先端部であるが、図２に示すように、巻付部２が点Ｂから水平に延びる直線を超えて下方に湾曲している場合には、当該点Ｂから水平に延びる直線と巻付部２の先端部との交点である。また、点Ｂ−Ｃ間の距離Ｔはフィット性と温熱効果、冷却効果の点から５〜１１ｃｍであることが好ましく、７〜９ｃｍであることがより好ましい。
【００３５】
パッド本体３の表面素材は、とくに限定されないが、ナイロン、ビニロン、ポリエステル、レーヨン、アセテート、アクリル、ポリエチレン、ポリプロピレン、ポリ塩化ビニル等の人工繊維、綿、麻、絹等の天然繊維を含むものが挙げられる。なかでも、収容部１における温熱または冷却を効果的に巻付部２に伝達する点、肌触りの点などからポリエステルが好ましく、起毛していることがより好ましい。
【００３６】
また、パッド本体３の内部には、クッション性を高められる点、頭部の荷重を支えられる点、空間を設けることで収容部１における温熱または冷却を効果的に巻付部に伝達する点で、ウレタン、スポンジ、綿、などの弾性の高い素材を収納しておくことが好ましい。また、その厚みは全体で２〜１５ｍｍであることが好ましく、５〜１２ｍｍであることがより好ましい。なお、パッド本体の端部には、次に説明するカラーを収容できるように、開口（図示省略）が形成されており、この開口からカラーをパッド本体の内部へ収容する。
【００３７】
続いて、カラーについて図３及び図４を参照しつつ説明する。図３はカラーの平面図、図４はその側面図である。図３に示すように、カラー５は、可撓性のある材料で略Ｕ字型に形成されており、上記収容部１を支持し得る収容部支持体５１と、その両端に連結され、巻付部２を支持し得る巻付部支持体５２とから構成されている。カラー５の素材としては、可撓性を有するものであれば、とくに限定されないが、アクリロニトリル−ブタジエン−スチレン共重合体、ポリプロピレン樹脂、ポリエチレンテレフタレート、塩化ビニル樹脂などの樹脂、ステンレス、アルミ、銅、鉄などの金属、木、竹などがあげられる。
【００３８】
収容部支持体５１は、収容部１とほぼ同じ長さで、後頭部下部から頸部横側に亘って適度にフィットするように円弧状に形成されており、例えば、中心角度θが６０〜２００度で、かつ曲率半径Ｒが４．５〜７．０ｃｍの円弧形状であることが好ましい。中心角度θは１００〜２００度がより好ましく、１１０〜１９０度であることがさらに好ましく、曲率半径Ｒは４．５〜６．５ｃｍの円弧形状であることがより好ましく、４．５〜６．０ｃｍの円弧形状であることがさらに好ましい。
【００３９】
また、図３に示すように、巻付部支持体５２は、巻付部２を支持できる長さであり、収容部支持体５１の両側からほぼ直線状に延びている。また、図４に示すように、巻付部支持体５２の上端部は、収容部支持体５１の上端部に対して、下方に向けて角度をなして連結している。このときの傾斜角度φは、巻付部がアゴに当たらず、首に対して適切にフィットする点から、１０〜３５度が好ましく、１０〜２５度がより好ましく、１５〜２２度がさらに好ましい。さらに、適度なフィット性を付与できる点から、両支持体の連結部Ｐにおける接線Ｑと巻付部支持体５２とのなす角Φが０〜２５度であることが好ましく、５〜２０度であることがより好ましく、１０〜２０度であることがさらに好ましい。
【００４０】
また、頸部横側を適度に押さえてフィット性を向上させることができる点から、収容部支持体５１との連結部から先端までで規定される巻付部支持体５２の長さＳは、３〜１０ｃｍが好ましく、５〜８ｃｍがより好ましい。また、カラー５の高さＨは、パッド本体３を支持できる限りとくに限定されないが、頸部横側を適度に押さえてフィット性を向上させることができる点から、１〜１０ｃｍであることが好ましく、２〜８ｃｍであることがより好ましく、３〜５ｃｍであることがさらに好ましい。
【００４１】
また、カラー５は、フィット性に加えて、温熱効果、冷却効果を適切に後頭部下部から頸部横側に伝達するという観点から、所定の可撓性を有することが必要である。ここでは、各巻付部支持体５２の先端同士を図４の矢印Ｆの方向に離間させたときに、元に戻ろうとする力を離間強度と称することとし、この離間強度が所定範囲内にあるように、カラーの材料、寸法等を選定する。離間強度は、例えば、次のように測定することができる。すなわち、オートグラフＡＧＳ−５００Ｄ（株式会社島津製作所製）を用い、一方の巻付部支持体の先端を固定し、もう一方の巻付部支持体の先端を３００ｍｍ／ｍｉｎのスピードで離間させながら、元に戻ろうとする力を測定する。本実施形態における離間強度は、０．０９〜０．３９Ｎ／ｃｍであることが好ましく、０．１３〜０．３６Ｎ／ｃｍであることがより好ましい。これは、離間強度が０．０９Ｎ／ｃｍより小さいと、フィット性が弱く、パッドが首から外れてしまう恐れがある一方、０．３９Ｎ／ｃｍより大きいと、頸部への押圧力が強すぎて頸部が締め付けられるからである。特に、上記のように巻付部支持体５２が直線上に延びている場合には、０．２０〜０．３５Ｎ／ｃｍであることが好ましい。なお、首用パッドが前記離間強度を有するのであれば、カラー５の有無にかかわらず好ましい。
【００４２】
上記のように構成された首用パッドは、次のように使用される。まず、用途に応じて、発熱体を収容部１のポケット１１に収容する。続いて、両巻付部２の先端を押し広げながら、図５に示すように、後側から首に嵌め込む。これにより、収容部１が首の後側に当接するため、後頭部下部から頸部横側が効果的に温められ、僧帽筋のこりがほぐされる。その結果、緊張型頭痛を緩和することができる。一方、血管が拡張した状態のときに生じる偏頭痛の場合には、収容部１に冷却体を収容する。これにより、頸部が冷却されるため、血流量が低下し痛みを軽減することができる。なお、上述したように、カラー５は、所定の離間強度を有する略Ｕ字型に形成されているため、パッドを頸部に固定することができる。また、パッドの固定を確実にするためには、連結部材４により巻付部２間を連結してもよい。
【００４３】
以上のように、本実施形態によれば、巻付部２が先端にいくにしたがって細くなっているため、収容部１を後頭部下部に当てたときに、巻付部２がアゴなどにかかることがなく、頸部横側に沿うようにフィットさせることができるので、フィット性および装着快適性に優れ、温熱、冷却効果については、僧帽筋および頸部横側などのパッドが接触する箇所を温熱、冷却することができるだけではなく、首から肩にかけての僧帽筋およびその付近全体を温熱、冷却することができる。そのため、効果的に頭痛を緩和することができ、また、血行促進や筋収縮緩和も期待できるので、効果的な健康増進が可能になる。
【００４４】
また、カラー５における巻付部支持体５２が収容部支持体５１から直線状に延びているため、頸部の一部にしか接触せず、頸部を過度に押圧するのを防止することができる。その結果、適度なフィット感と快適性を両立することができる。
【００４５】
以上、本発明の一実施形態について説明したが、本発明はこれに限定されるものではなく、その趣旨を逸脱しない限りにおいて、種々の変更が可能である。
例えば、巻付部２の形状は、上述したものに限定されず、先端にいくにしたがって細く形成され、アゴにあたらないような形状であればよい。例えば、図６（ａ）及び図６（ｂ）に示すように、三角形状に形成することもできる。また、図６（ｃ）に示すように、上下方向の高さを収容部１と同じにすることもできる。
【００４６】
また、カラーの形状も、上述した以外の形状が可能である。例えば、図７（ａ）に示すように、両支持体５１，５２の連結部Ｐにおける接線Ｑと巻付部支持体５２とが平行になるようにすることもできるし、或いは、図７（ｂ）に示すように、巻付部２を湾曲させることもできる。巻付部支持体５２を湾曲させる場合には、頸部と巻付部支持体５２との接触面積が大きくなるため、頸部への押圧力を低減させる必要がある。したがって、離間強度を０．１３〜０．２０Ｎ／ｃｍにすることが好ましい。但し、カラー５は必ずしも必要ではなく、パッド自体で前記離間強度を有する場合や、上述した連結部材４によってパッドを首に固定できる場合には、カラーを設けなくてもよい。
【００４７】
以下、本発明の実施例について説明する。但し、本発明は、以下の実施例に限定されるものではない。
【実施例】
【００４８】
表１〜５に記載の構成を備える首用パッドを用いて、フィット性、装着快適性、温熱効果および頭痛緩和効果についての試験を行った。
【００４９】
実施例の首用パッドは、図２に示すように、収容部（１０×１０ｃｍ）の下端が下方へ突出するように構成されており、また、巻付部は先端にいくにしたがって細くなり、下方に湾曲する鎌形に形成されているものを使用した（図２におけるＡ−Ｂ間の距離は７ｃｍである）。
【００５０】
比較例１の首用パッドは、収容部の大きさが１０×１０ｃｍであり、巻付部が長方形（７×１０．５ｃｍ）であるものを使用した。
【００５１】
カラーは、アクリロニトリル−ブタジエン−スチレン共重合体製であり、高さは実施例および比較例ともに３．５ｃｍであった。カラーについて、表１〜５における「Ｕ字形状」とは、巻付部支持体が直線の形状をいい、「湾曲形状」とは、巻付部支持体が、収容部支持体と同じ曲率半径で湾曲した形状であって、左右の巻付部の先端部間の直線距離が７ｃｍである形状をいう。また、「角度１」の値は、収容部支持体と巻付部支持体との連結部における接線と巻付部支持体とのなす角（すなわち、図３における角度Φ）を、「角度２」の値は、収容部支持体の上端部に対して、巻付部支持体の上端部が下方に向けてなす角度（すなわち、図４における角度φ）を、それぞれ示す。
【００５２】
離間強度は、オートグラフＡＧＳ−５００Ｄ（株式会社島津製作所製）を用い、一方の巻付部支持体の先端を固定し、もう一方の巻付部支持体の先端を３００ｍｍ／ｍｉｎのスピードで離間させながら、元に戻ろうとする力を測定した。
【００５３】
フィット性、装着快適性、温熱効果および頭痛緩和効果の試験方法は以下のとおりである。
【００５４】
（フィット性試験）
緊張型頭痛である２０名に首用パッドを６時間連続使用してもらい、フィット性（後頭部下部および頸部横側へのフィット性）を５段階評価し、（評価）×（人数）＝（総合得点）を算出した。評価基準は以下のとおりである。
５  フィットする
４  ややフィットする
３  どちらともいえない
２  あまりフィットしない
１  フィットしない
（装着快適性試験）
緊張型頭痛である２０名に首用パッドを６時間連続使用してもらい、装着時の快適性（締め付け感）を５段階評価し、（評価）×（人数）＝（総合得点）を算出した。評価基準は以下のとおりである。評価基準は以下のとおりである。
５  良好であった
４  やや良好であった
３  どちらともいえない
２  やや悪かった
１  悪かった
（温熱効果）
緊張型頭痛である２０名に首用パッドを６時間連続使用してもらい、温熱効果（僧帽筋と頸部横側の温度による気持ちよさ）を５段階評価し、（評価）×（人数）＝（総合得点）を算出した。評価基準は以下のとおりである。評価基準は以下のとおりである。
５  快適
４  やや快適
３  どちらとも
２  やや不快
１  不快
（頭痛緩和効果）
緊張型頭痛である２０名に首用パッドを６時間連続使用してもらい、頭痛緩和効果を５段階評価し、（評価）×（人数）＝（総合得点）を算出した。評価基準は以下のとおりである。評価基準は以下のとおりである。
５  緩和された
４  やや緩和された
３  どちらともいえない
２  あまり緩和されなかった
１  緩和されなかった
【００５５】
【表１】
2007319420.tif 000003
【００５６】
【表２】
2007319420.tif 000004
【００５７】
【表３】
2007319420.tif 000005
【００５８】
【表４】
2007319420.tif 000006
【００５９】
【表５】
2007319420.tif 000007
また、実施例４と比較例１のパッドについて、その使用前と使用後における体表面温度をサーモグラフィ計測した（使用機器：サーモトレーサーＴＨ９１００ＭＶ（ＮＥＣ三栄株式会社製））。測定方法は、あらかじめ２５℃６０％の環境下で１５分間滞在した後、上半身裸でサーモグラフィを撮影した。次に、実施例１および比較例１のパッドを装着し、３０分後に上半身裸でサーモグラフィを撮影した。結果は、図８（実施例４）および図９（比較例１）に示した。
【００６０】
前記結果によれば、収容部の両端に連結されるとともに先端にいくにしたがって細くなるように構成された巻付部を備える実施例の首用パッドと、それを備えない比較例１の首用パッドとを比較すると、実施例の首用パッドが、フィット性、装着快適性、温熱効果および頭痛緩和効果のすべてが優れることが理解できる。
【００６１】
また、表１の結果から、巻付部の両端部間の直線距離は、１５〜３８ｃｍであると好ましいことが、表２の結果から、カラーの収容部支持体は、中心角度６０〜２００度、曲率半径４．５〜７．０ｃｍの円弧形状であると好ましいことが、表３の結果から、カラーにおける角度１（すなわち、図３における角度Φ）は、０〜２５度であると好ましいことが、表４の結果から、各巻付部の両端を互いに離間させるときの離間強度は、０．０９〜０．３９Ｎ／ｃｍであると好ましいことが、表５の結果から、角度２（すなわち、図４における角度φ）は、１０〜３５度であること好ましいことが、それぞれ理解できる。
【００６２】
また、例えば、実施例４または５と実施例６とを比較することで、カラーを備えると好ましいことが理解できる。そして、実施例４と５とを比較することで、中心角度および曲率半径が同じ収容部支持体を有し、離間強度や角度２が同じ場合、カラーはＵ字形状、すなわち、巻付部支持体がほぼ直線状に形成されていると好ましいことが理解できる。
【００６３】
さらに、図８および９から、実施例の首用パッドは、比較例１の首用パッドに比べて温熱効果に優れていることが理解できる。とくに、実施例の首用パッドを使用することで、僧帽筋および頸部横側などのパッドが接触する箇所を温めることができるだけではなく、首から肩にかけての僧帽筋およびその付近全体を温めることができ、血行促進、また、それによる筋収縮緩和および頭痛緩和にとくに効果的であることが理解できる。
【図面の簡単な説明】
【００６４】
【図１】本発明の第一の実施形態に係る首用パッドの斜視図である。
【図２】図１の首用パッドの展開図である。
【図３】図１の首用パッドに備えられている第一の実施形態のカラーの平面図である。
【図４】図３のカラーの側面図である。
【図５】本実施形態に係る首用パッドの装着方法を示す斜視図である。
【図６】本発明の他の実施形態に係る首用パッドの展開図である。
【図７】本発明の首用パッドに備えられる他の実施形態のカラーの平面図である。
【図８】実施例４の首用パッドを装着した際のサーモグラフィ画像である。
【図９】比較例１の首用パッドを装着した際のサーモグラフィ画像である。
【符号の説明】
【００６５】
１  収容部
２  巻付部
【図１】
2007319420.tif 000008
【図２】
2007319420.tif 000009
【図３】
2007319420.tif 000010
【図４】
2007319420.tif 000011
【図５】
2007319420.tif 000012
【図６】
2007319420.tif 000013
【図７】
2007319420.tif 000014
【図８】
2007319420.tif 000015
【図９】
2007319420.tif 000016